【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
面を有するペインと、
前記ペインの前記面上に被さる保護用被覆部とを具備し、
前記保護用被覆部は自由部分と固定部分とを含んでおり、
前記保護用被覆部の前記自由部分はチャネルの第一側部を形成しており、
前記ペインの前記面は前記チャネルの第二側部を形成している組立体。
【請求項２】
前記保護用被覆部の前記固定部分は、接着剤により前記ペインに固定された第一ストリップの付着性部分を有しており、
前記保護用被覆部の前記自由部分は前記第一ストリップの非付着性部分を有している請求項１に記載の組立体。
【請求項３】
前記第一ストリップが基材を含んでおり、前記接着剤が前記基材の少なくとも接着剤部分に被さっている請求項２に記載の組立体。
【請求項４】
前記第一ストリップの非付着性部分が前記基材の接着剤の無い表面を含む請求項３に記載の組立体。
【請求項５】
前記第一ストリップの前記非付着性部分が前記接着剤のうちの一部分に被さるライナを含む請求項３に記載の組立体。
【請求項６】
さらに、前記チャネルが前記接着剤により形成される第三の側部を含む請求項１に記載の組立体。
【請求項７】
前記チャネルは前記保護用被覆部の前記自由部分と前記ペインの前記面との間に延びる開口部に連通している請求項１に記載の組立体。
【請求項８】
前記開口部は前記保護用被覆部の外周部にほぼ整列している請求項７に記載の組立体。
【請求項９】
前記ペインの前記面は、前記保護用被覆部の外周部と前記ペインの外部区域との間に延びる非被覆エプロンを有している請求項７に記載の組立体。
【請求項１０】
前記開口部は前記ペインの前記非被覆エプロンに対面している請求項９に記載の組立体。
【請求項１１】
さらに、前記ペインの前記面の非被覆エプロンに固定されるフレームと、
前記保護用被覆部の外周部と前記フレームの内方境界との間に延びるタブとを含む請求項１に記載の組立体。
【請求項１２】
前記保護用被覆部の外周部を越えて延びるストリップの一部分を含むプルタブを有している請求項１に記載の組立体。
【請求項１３】
前記保護用被覆部の前記自由部分が前記ペインの前記面に接触すると共に、前記ペインの前記面から離れるよう容易に上昇される請求項１に記載の組立体。
【請求項１４】
前記保護用被覆部の前記自由部分は人間の指の厚さと同程度の幅を有している請求項１に記載の組立体。
【請求項１５】
前記保護用被覆部は重り合う配列体をなすように配置された複数のストリップを含んでいる請求項１に記載の組立体。
【請求項１６】
さらに、前記保護用被覆部に被さる情報担持シートを含む請求項１に記載の組立体。
【請求項１７】
前記情報担持シートは前記保護用被覆部の前記自由部分に隣接して配置されており、それにより、使用者が前記保護用被覆部の前記自由部分を把持するときに、使用者の注意は情報担持シートに導かれるようにした請求項１６に記載の組立体。
【請求項１８】
前記情報担持シートの少なくとも一部が前記保護用被覆部の前記自由部分に被さっている請求項１７に記載の組立体。
【請求項１９】
面を有するペインと、
前記ペインの前記面上に被さる保護用被覆部とを具備し、
前記保護用被覆部は第二ストリップに被さる第一ストリップを有しており、
前記第一ストリップの付着性部分は接着剤によって前記第二ストリップの背面に固定されており、
前記第一ストリップの非付着性部分はチャネルの第一側部を形成しており、
前記第二ストリップの前記背面は前記チャネルの第二側部を形成している組立体。
【請求項２０】
前記チャネルはさらに前記接着剤によって形成される第三側部を有している請求項１９に記載の組立体。
【請求項２１】
前記第一ストリップの前記非付着性部分が前記第二ストリップの前記背面にオーバーレイしていると共に、前記第二ストリップの前記背面から離れるよう容易に上昇される請求項１９に記載の組立体。
【請求項２２】
ペインの被覆領域を保護する保護方法において、
複数のストリップをペインの表面に付加し、
前記ストリップは、保護用被覆部の外周部と前記ペインの外部区域との間に延びる非被覆エプロンを形成するように寸法決めされると共に位置決めされる保護方法。
【請求項２３】
前記非被覆エプロンはフレームに係合するように寸法決めされている請求項２２に記載の保護方法。
【請求項２４】
前記ストリップは少なくとも部分的に重なり合うように位置決めされている請求項２２に記載の保護方法。
【請求項２５】
付着性部分と非付着性部分とを含む第一ストリップを提供する工程と、
前記第一ストリップの前記付着性部分をペインの表面に固定する工程と、
複数のマスキング材料製ストリップのそれぞれが前のマスキング材料製ストリップに重なり合い距離だけ部分的に順次重なり合うように、複数のマスキング材料製ストリップを前記ペインの前記表面に付加することによって保護用被覆部を形成する工程とを含み、
前記保護用被覆部の外周部と前記ペインの外部区域との間に延びる前記ペインの非被覆エプロンを形成するように、前記保護用被覆部は寸法決めされると共に位置決めされており、
前記第一ストリップの第一部分は前記保護用被覆部と前記ペインとの間に配置されており、
前記第一ストリップの第二部分は前記保護用被覆部の前記外周部を越えて延びていてプルタブを形成しており、
さらに、
前記プルタブが前記保護用被覆部の前記外周部と前記フレームの内方境界との間に延びるように、前記プルタブを位置決めしつつ前記ペインの前記非被覆エプロンにフレームを接着する工程を含む、方法。
【請求項２６】
面を有するペインと、
前記ペインの前記面の被覆部分に被さる保護用被覆部と、
前記保護用被覆部の外周部と前記ペインの外部区域との間に延びる、前記ペインの前記面の非被覆エプロンと、
前記ペインの非被覆エプロンに固定されるフレームと、
前記保護用被覆部の外周部と前記フレームの内方境界との間に延びるプルタブとを具備する組立体。
【請求項２７】
前記保護用被覆部の前記外周部は、前記フレームの内方境界に配置されるように寸法決めされる請求項２６に記載の組立体。
【請求項２８】
前記プルタブは、前記保護用被覆部の前記外周部を越えて延びる第一ストリップの一部分を含む請求項２６に記載の組立体。
【請求項２９】
前記保護用被覆部は自由部分と固定部分とを含んでおり、
前記保護用被覆部の前記自由部分はチャネルの第一側部を形成しており、
前記ペインの前記面は前記チャネルの第二側部を形成している請求項２６に記載の組立体。
【請求項３０】
前記保護用被覆部の前記固定部分は、接着剤により前記ペインに固定された第一ストリップの付着性部分を有しており、
前記保護用被覆部の前記自由部分は前記第一ストリップの非付着性部分を有している請求項２９に記載の組立体。
【請求項３１】
前記第一ストリップが基材を含んでおり、前記接着剤が前記基材の少なくとも接着剤部分に被さっている請求項３０に記載の組立体。
【請求項３２】
前記第一ストリップの前記非付着性部分が前記基材の前記基材の接着剤の無い表面を含む請求項３１に記載の組立体。
【請求項３３】
前記第一ストリップの前記非付着性部分が前記接着剤のうちの一部分に被さるライナを含む請求項３１に記載の組立体。
【請求項３４】
さらに、前記チャネルが前記接着剤により形成される第三の側部を含む請求項２９に記載の組立体。
【請求項３５】
前記チャネルは前記保護用被覆部の前記自由部分と前記ペインの前記面との間に延びる開口部に連通している請求項２９に記載の組立体。
【請求項３６】
前記開口部は前記保護用被覆部の外周部にほぼ整列している請求項３５に記載の組立体。
【請求項３７】
前記開口部は前記ペインの前記非被覆エプロンに対面している請求項３５に記載の組立体。
【請求項３８】
前記保護用被覆部の前記自由部分が前記ペインの前記面に接触すると共に、前記ペインの前記面から離れるよう容易に上昇される請求項２９に記載の組立体。
【請求項３９】
前記保護用被覆部は重り合う配列体をなすように配置された複数のストリップを含んでいる請求項２９に記載の組立体。
【請求項４０】
さらに、前記保護用被覆部に被さる情報担持シートを含む請求項２９に記載の組立体。
【請求項４１】
前記情報担持シートは前記保護用被覆部の前記自由部分に隣接して配置されており、それにより、使用者が前記保護用被覆部の前記自由部分を把持するときに、使用者の注意は情報担持シートに導かれるようにした請求項４０に記載の組立体。
【請求項４２】
前記情報担持シートの少なくとも一部が前記保護用被覆部の前記自由部分に被さっている請求項４１に記載の組立体。